(57)【特許請求の範囲】
【請求項１】
扉１の内外の側壁に互いに対向して固定される内外の固定板と、これらの固定板並びに錠箱を貫通した角軸の端部にそれぞれ取付けられる内外のハンドルと、これらのハンドルの軸部にそれぞれ嵌合すると共に、前記固定板に対してそれぞれ固定される内外のハンドル座を備えた錠把手の取付け構造に於いて、前記内側ハンドル３１の軸部の端面に、ハンドル座用の第１嵌合突起３６を突出形成すると共に、該第１嵌合突起３６の端面に抜脱防止回動板用第２嵌合突起３９を形成し、また、前記内側のハンドル座４０には、前記第１嵌合突起３６が嵌合する中心孔４１及び該中心孔４１によりも大きい大径嵌合孔４２をそれぞれ形成し、さらに、前記内側のハンドル座４０には、前記大径嵌合孔４２を形成する垂直内面に対向する一側面が面一状態になると共に、前記内側ハンドル３１の第２嵌合突起３９に嵌合する嵌合孔４５を有する円板状のハンドル抜脱防止回動板４４を嵌合し、前記ハンドル抜脱防止回動板４４は内側ハンドル３１と回動自在となるように固定手段３８を介して内側ハンドル３１の軸部に固定されていることを特徴とする錠把手の取付け構造。
【請求項２】
扉１の内外の側壁に互いに対向して固定される内外の固定板と、これらの固定板並びに錠箱を貫通した角軸の端部にそれぞれ取付けられる内外のハンドルと、これらのハンドルの軸部にそれぞれ嵌合すると共に、前記固定板に対してそれぞれ固定される内外のハンドル座を備えた錠把手の取付け構造に於いて、前記外側ハンドル３２の軸部の端面に、ハンドル座用の第１嵌合突起３６を突出形成すると共に、該第１嵌合突起３６の端面に抜脱防止回動板用第２嵌合突起３９を形成し、また、前記外側のハンドル座４０Ａには、前記第１嵌合突起３６が嵌合する中心孔４１及び該中心孔４１によりも大きい大径嵌合孔４２をそれぞれ形成し、さらに、前記外側のハンドル座４０Ａには、前記大径嵌合孔４２を形成する垂直内面に対向する一側面が面一状態になると共に、前記外側ハンドル３２の第２嵌合突起３９に嵌合する嵌合孔４５を有する円板状のハンドル抜脱防止回動板４４Ａを嵌合し、前記ハンドル抜脱防止回動板４４Ａは内側ハンドル３１と回動自在となるように固定手段３８を介して外側ハンドル３２の軸部に固定されていることを特徴とする錠把手の取付け構造。
【発明の詳細な説明】
【０００１】
【発明の属する技術分野】
本発明は扉の側端部に組み込まれた錠箱に取付けられるハンドル錠やノブ錠の錠把手の取付け構造に関する。
【０００２】
【従来の技術】
従来、実開平６−６２１５３号公報に、関連発明としての「ドアハンドル座の取付け構造」が開示されている。この公報に記載されているように、普通一般に把手としてのドアハンドル、飾りキャップとしてのドアハンドル座、扉の側壁に固定される固定座はそれぞれ別体の状態で錠箱ないし扉に取付けられる。
【０００３】
したがって、本発明の構成上の特徴を明らかにするために、上記公報に示唆された錠把手の取付け構造の主要部を便宜上図８に示す。
【０００４】
図８に於いて、１Ｂは扉である。この扉１Ｂの側端部の錠箱用開口部２Ｂには錠箱４Ｂが組み込まれる。３Ｂは角軸用貫通孔である。錠箱４Ｂには、駆動カム５Ｂ、錠片としてのラッチボルト６Ｂ等が設けられている。駆動カム５Ｂは錠箱の左右の側壁７Ｂにそれぞれ形成された駆動カム用貫通孔８Ｂに臨み、また前記ラッチボルト６Ｂは錠箱の前壁９Ｂ及びこの前壁に複数個のビス１０Ｂを介して一体的に固定されるフロント板１１Ｂから常時突出する。
【０００５】
１３Ｂは扉１Ｂの角軸用貫通孔３Ｂ並びに錠箱４Ｂの駆動カム用貫通孔８Ｂをそれぞれ貫通した状態で、内端部は内側レバーハンドル３１Ｂに固着され、一方、外端部は外側レバーハンドル３２Ｂにそれぞれ固着されるハンドル用角軸である。
【０００６】
１４Ｂは内側レバーハンドル３１Ｂの軸部を直接又は図示しない嵌合リングを介して案内する環状内側固定板である。この内側固定板１４Ｂの外側には、上述した公報記載の飾りキャップとしてのドアハンドル座が嵌合する。そして、この内側固定板１４Ｂには、一対の螺杆１５Ｂ用の貫通孔１６Ｂが形成されている。
【０００７】
一方、１９Ｂは環状外側固定板で、この外側固定板１９Ｂの内壁面には、前記螺杆１５Ｂとそれぞれ螺合する一対のパイプ状螺合筒２０Ｂが固定的に設けられている。この外側固定板１９Ｂは外側レバーハンドル３２Ｂの軸部を直接又は図示しない嵌合リングを介して案内する。そして、外側固定板１９Ｂの外側にも、上述した公報記載の飾りキャップとしてのドアハンドル座が嵌合する。
【０００８】
しかして、図８で示すような錠把手の取付け構造に於いては、把手と飾りキャップとしての座が一体構造の把手、例えば予め外側レバーハンドルとハンドル座とを一体的に製作した場合に、該ハンドル座付き把手を扉ないし錠箱に取付けるのが不可能である、と言う欠点があった。
【０００９】
【発明が解決しようとする課題】
本発明の課題は、従来の上記実施例の有する欠点に鑑み、ハンドル座付き把手を扉ないし錠箱に簡単に取付けて使用することができること、またハンドル座付き把手を回動した際に、角軸の半径方向にハンドルが「がたつかない」ことである。
【００１０】
【課題を解決するための手段】
本発明の錠把手の取付け構造は、扉１の内外の側壁に互いに対向して固定される内外の固定板１４、１９と、これらの固定板並びに錠箱４を貫通した角軸１３の端部にそれぞれ取付けられる内外のハンドル３１、３２と、これらのハンドルの軸部にそれぞれ嵌合すると共に、前記固定板に対してそれぞれ固定される内外のハンドル座４０、４０Ａを備えた錠把手の取付け構造に於いて、前記内側ハンドル３１の軸部の端面に、ハンドル座用の第１嵌合突起３６を突出形成すると共に、該第１嵌合突起３６の端面に抜脱防止回動板用第２嵌合突起３９を形成し、また、前記内側のハンドル座４０には、前記第１嵌合突起３６が嵌合する中心孔４１及び該中心孔４１によりも大きい大径嵌合孔４２をそれぞれ形成し、さらに、前記内側のハンドル座４０には、前記大径嵌合孔４２を形成する垂直内面に対向する一側面が面一状態になると共に、前記内側ハンドル３１の第２嵌合突起３９に嵌合する嵌合孔４５を有する円板状のハンドル抜脱防止回動板４４を嵌合し、前記ハンドル抜脱防止回動板４４は内側ハンドル３１と回動自在となるように固定手段３８を介して内側ハンドル３１の軸部に固定されていることを特徴とする。この場合、請求項２に記載のように、外側ハンドル３２も内側ハンドル３１と同一構成であっても良い。
【００１１】
【発明の実施の形態】
以下、図面に示す本発明の実施の形態を、扉の開閉側の側端部に組み込まれた錠箱との関係で説明する。
【００１２】
図１ないし図７に於いて、１は扉である。扉の開閉側の側端部には、錠箱の規格寸法に対応し、色々な大きさの錠箱用開口部２が形成されている。また扉の開閉側の側端部には、錠箱用開口部２とそれぞれ直交して連通する左右一対の角軸用貫通孔３や後述する外側固定板のパイプ状螺合筒が貫通する複数個の貫通孔３ａが形成されている。
【００１３】
４は錠箱用開口部２に組み込まれる錠箱である。この錠箱４には、周知のように回転子としての駆動カム５、錠片としてのラッチボルト６等が設けられ、前記駆動カム５は錠箱の左右の側壁７にそれぞれ形成された駆動カム用貫通孔８に臨み、また前記ラッチボルト６は錠箱の前壁９及びこの前壁に複数個のビス１０を介して一体的に固定されるフロント板１１から常時突出する。なお、錠箱４の前壁９及びフロント板１１には取付け孔１２、１２がそれぞれ形成され、また錠箱４の両側壁７には外側固定板１９のパイプ状螺合筒が貫通する複数個の貫通孔７ａ、７ａが形成されている。
【００１４】
１３は扉１の角軸用貫通孔３並びに錠箱４の駆動カム用貫通孔８をそれぞれ貫通した状態で、内端部は内側レバーハンドル又は内側ノブに固着され、一方、外端部は外側レバーハンドル又は外側ノブにそれぞれ固着されるハンドル用角軸である。
【００１５】
１４はアダプターとしての環状内側固定板で、この内側固定板１４には、一対の螺杆１５用貫通孔１６並びに複数個のハンドル取付けビス１７が貫通ないし螺合する貫通孔１８が形成されている。一方、１９はアダプターとしての環状外側固定板で、この外側固定板１９の内壁面には、前記螺杆１５とそれぞれ螺合する一対のパイプ状螺合筒２０が固定的に設けられている。そして、外側固定板１９にも複数個のハンドル取付けビス１７が貫通ないし螺合する貫通孔２２が形成されている。
【００１６】
そこで、錠箱４を装備した扉１に取付けられる錠把手の構造について説明する。錠把手は、図１で示すように内側レバーハンドルや内側ノブ（以下、本明細書では「内側ハンドル」と言う。）と、外側レバーハンドルや外側ノブ（以下、本明細書では「外側ハンドル」と言う。）とに区分される。
【００１７】
ところで、この内側ハンドル３１と外側ハンドル３２とは、略同一構成なので、内側ハンドル３１についてのみ詳細に説明し、外側ハンドル３２の構造については便宜上同一又は同様の符号を付し、重複する説明を省略する。
【００１８】
まず図７で示すように、３３は内側ハンドル３１の角穴で、この角穴３３には角軸１３の内側端部１３ａが嵌挿される。３４は内側ハンドル３１の軸部に半径方向に形成されたメネジ孔で、このメネジ孔３４は角穴３３と連通している。３５はメネジ孔３４に螺着するハンドル止めねじである。
【００１９】
次に３６は内側ハンドル３１の端面に突出形成されたハンドル座用第１嵌合突起である。この第１嵌合突起３６は、内側ハンドル３１よりも小径であり、前記角穴３３の一部を構成するように環状に形成されている。３７は第１嵌合突起３６に所要間隔を有して形成された複数個の第１取付け孔である。これらの第１取付け孔３７は比較的小さく、本実施例では固定手段の一例としてのノックピン３８を受け入れることができるように角軸１３の挿入方向（軸方向）に形成されている。
【００２０】
次に３９は第１嵌合突起３６の端面にさらに突出形成されたハンドル抜脱防止回動板用第２嵌合突起である。この第２嵌合突起３９は、第１嵌合突起３６よりも小径であり、前記角穴３３の一部を構成するように方形枠状に形成されている。
【００２１】
次に４０は内側ハンドル３１の端部に設けられた鍔あるいは環状のハンドル座である。このハンドル座４０には、内側ハンドル３１が抜脱防止回動板４４を用いて回動自在に設けられている。すなわち、ハンドル座４０は内側固定板１４にハンドル取付けビス１７を介して一体的に取り付けられる訳であるが、この固定側のハンドル座４０に対し、内側ハンドル３１とハンドル抜け防止用の抜脱防止回動板４４は一体に回動する。
【００２２】
しかして、ハンドル座４０は、前記第１嵌合突起３６に嵌合する中心孔４１及びこの中心孔４１に連通する大径嵌合孔４２をそれぞれ有する。そして、ハンドル座４０の環状部４０ａの適宜箇所には、ハンドル取付けビス１７用貫通孔４３が複数個形成されている。これらの貫通孔４３は、前述した内側固定板１４の貫通孔１８と符合する。
【００２３】
４４はハンドル座４０の大径嵌合孔４２を形成する垂直内面に対向する一側面が面一状態になるように該大径嵌合孔４２に嵌合する円板状のハンドル抜脱防止回動板である（図５、図７参照）。ここで、ハンドル座４０の「垂直内面」とは、図７を基準にすると、垂直に見える内面のことであり、該垂直内面は、大径嵌合孔４２を形成する手前の内周面と直交状態である。このハンドル抜脱防止回動板４４の中心部には第２嵌合突起３９が嵌合する方形の小径嵌合孔４５が形成されている。そして、ハンドル抜脱防止回動板４４の適宜箇所には、角軸の軸方向に前述した第１取付け孔３７と符合するノックピン３８用の複数個の貫通小孔４６が形成されている。したがって、ハンドル抜脱防止回動板４４はハンドル座４０から内側ハンドル３１が抜けるのを防止する機能がある。
【００２４】
次に外側ハンドル３２について簡単に説明する。図６で示すように、３４Ａはロックピン用の貫通孔である。３５Ａはロックピンである。５１は角軸１３の外側端部１３ｂに形成された係合溝である。この係合溝５１に貫通孔３４Ａに挿入されたロックピン３５Ａが係合し、外側ハンドル３２と角軸１３は一体と成る。角軸１３の角孔３３Ａ、外側のハンドル座４０Ａ、抜脱防止回動板４４Ａなどその他の構成は内側ハンドルと同一構成なので、重複する説明を省略する。
【００２５】
上記構成に於いては、まず錠箱４は扉１の開口部２内に組み込まれる。次にハンドル座４０Ａを有する外側ハンドル３２に角軸１３を固定する。この場合角軸１３は、その外側端部１３ｂを角軸１３の角穴３３Ａに挿入後、貫通孔３４Ａにロックピン３５Ａを係合溝５１に至るまで挿入し、例えばカシメ固定する。
【００２６】
次に内側固定板１４を扉１の内壁面に、一方、外側固定板１９を扉１の外壁面にそれぞれ当て、外側固定板１９のパイプ状螺合筒２０を扉１の貫通孔３ａ及び錠箱１の貫通孔７ａに差し込んだ上で、螺杆１５を内側固定板１４の貫通孔１６に嵌め、かつ、該螺合筒２０に螺合する。これにより内側固定板１４と外側固定板１９は扉１を介して一体的に結合する。
【００２７】
次に外側ハンドル３２を外側固定板１９に固定する。この場合角軸１３を外側固定板１９、駆動カム５の図示しない軸用係合孔、内側固定板１４にそれぞれ通し、ハンドル座４０Ａを外側固定板１９に合わせる。そして、ハンドル取付けビス１７を貫通孔４３、２２に螺合させる。これによりハンドル座４０Ａを一体的に有する外側ハンドル３２は、外側固定板１９と結合する。
【００２８】
次に角軸１３の内側端部１３ａを内側ハンドル３１の角穴３３に挿入する。そして、この挿入状態でハンドル取付けビス１７を貫通孔４３、１８に貫通ないし螺合させる。これによりハンドル座４０を有する内側ハンドル３１は、内側固定板１４と結合する。しかる後にメネジ孔３４にハンドル止めねじ３５を螺着し、角軸１３に内側ハンドル３１を固定する。
【００２９】
【実施例】
内側ハンドル３１について説明すると、内側ハンドル３１の端面には、ハンドル座用第１嵌合突起３６が環状に形成され、またこの第１嵌合突起３６の端面には、さらに抜脱防止回動板用第２嵌合突起３９が方形枠状に形成され、一方、ハンドル座４０は中心孔４１を介して前記第１嵌合突起３６に嵌合し、またハンドル抜脱防止回動板４４は、方形の小径嵌合孔４５を介して前記第２嵌合突起３９に嵌合すると共に、中心孔４１と連通するハンドル座４０の大径嵌合孔４２を形成する垂直内面に対向する一側面が面一状態になるように該大径嵌合孔４２に嵌合する。
【００３０】
しかして、上記抜脱防止回動板用第２嵌合突起３９は、楕円形状の枠に形成し、一方、これに嵌合するハンドル抜脱防止回動板４４の小径嵌合孔４５を楕円形状にしても良い。
【００３１】
ハンドル座４０について説明すると、ハンドル座４０は環状に形成されているならば、円形、、楕円形、多角形などの形状であっても良い。
【００３２】
【発明の効果】
以上の説明から明らかなように、本発明にあっては次に列挙するような効果がある。
（１）ハンドル座付き把手を扉ないし錠箱に簡単に取付けて使用することができる。
（２）請求項１、請求項２に記載したように、ハンドルと一体となって回動するハンドル抜脱防止回動板４４（４４Ａ）は、「円板状」であり、しかも、円板状のハンドル抜脱防止回動板４４（４４Ａ）は、ハンドル座４０（４０Ａ）の大径嵌合孔４２を形成する垂直内面に対向する一側面が面一状態になるように該ハンドル座４０（４０Ａ）に組み込まれるので、内側又は外側ハンドルを回動した際に、角軸の半径方向にハンドルが、「がたつかない」という顕著な効果がある。
【図面の簡単な説明】
図１ないし図７は本発明の実施の形態を説明するための各説明図。
【図１】実施の形態を説明するための説明図（分解斜視図）。
【図２】実施の形態を説明するための説明図（取付け状態の正面図）。
【図３】図２に於いて、扉の内側から見た状態の側面図。
【図４】要部の組み合わせ状態の説明図。
【図５】図４に於ける５−５線拡大断面図。
【図６】要部の分解斜視図（内側のハンドル側）。
【図７】（内側）ハンドルの構造を説明する分解斜視図。
【図８】従来技術を説明するための説明図。
【符号の説明】
１…扉、４…錠箱、１３…角軸、１４…内側固定板、１５…螺杆、１９…外側固定板、２０…パイプ状螺合筒、１８、２２、４３…貫通孔、１７…ハンドル取付けビス、３１…内側ハンドル、３２…外側ハンドル、３３、３３Ａ…角孔、３６…第１嵌合突起、３８…固定手段、３９…第２嵌合突起、４０、４０Ａ…ハンドル座、４０ａ…環状部、４１…中心孔、４２…大径嵌合孔、４４、４４Ａ…ハンドル抜脱防止回動板。
【図１】
0003773290.tif 000002
【図２】
0003773290.tif 000003
【図３】
0003773290.tif 000004
【図４】
0003773290.tif 000005
【図５】
0003773290.tif 000006
【図６】
0003773290.tif 000007
【図７】
0003773290.tif 000008
【図８】
0003773290.tif 000009